(57)【特許請求の範囲】
【請求項１】
空気調和装置からダクトを通して送られてくる調和空気を吹き出す吹出口を制御対象空間毎に備えた空調システムにおいて、
前記制御対象空間毎にユーザからの冷温感の段階的な入力を可能とする冷温感入力手段と、
前記吹出口からの調和空気の風量と風向を前記冷温感の段階毎に定めた風量・風向決定テーブルを記憶するテーブル記憶手段と、
前記ユーザから入力される冷温感の段階に基づいて、前記記憶されている風量・風向決定テーブルを参照して、そのユーザが望む制御対象空間の吹出口からの調和空気の風量と風向を決定する吹出口風量・風向決定手段と、
前記吹出口からの調和空気の風量および風向を前記吹出口風量・風向決定手段によって決定された風量および風向へ切り替える吹出口風量・風向切替手段と、
前記冷温感の段階毎に予め定められた重み付け係数を記憶する重み付け係数記憶手段と、
前記制御対象空間毎の前記ユーザから入力された冷温感について、その冷温感の段階に対応する前記記憶されている重み付け係数を読み出し、この読み出した重み付け係数に基づいて前記空気調和装置からの調和空気の給気温度を決定する給気温度決定手段と、
前記空気調和装置からの調和空気の給気温度を前記給気温度決定手段によって決定された給気温度に変更する給気温度変更手段と、
前記制御対象空間毎のユーザから入力された冷温感の最大値と最小値との差を制御対象空間間の冷温感の格差として求める格差算出手段とを備え、
前記テーブル記憶手段は、
前記吹出口からの調和空気の風量と風向を前記冷温感の段階毎に定めた第１の風量・風向決定テーブルと、
前記第１の風量・風向決定テーブルよりもより強くユーザの意向を反映した第２の風量・風向決定テーブルとを記憶し、
前記吹出口風量・風向決定手段は、
前記ユーザから入力された冷温感が前回よりもその冷温感を快適にする方向に変更された場合には、予め定められた一定時間が経過するまで、前記第２の風量・風向決定テーブルを参照して、そのユーザが望む制御対象空間の吹出口からの調和空気の風量と風向を決定し、
前記格差算出手段によって求められた制御対象空間間の冷温感の格差が予め定められた所定値以上である場合には、その格差が所定値以上である期間、前記第２の風量・風向決定テーブルを参照して、前記制御対象空間毎の吹出口からの調和空気の風量と風向を決定する
ことを特徴とする空調システム。
【請求項２】
空気調和装置からダクトを通して送られてくる調和空気を制御対象空間毎の吹出口から吹き出す空調方法において、
前記制御対象空間毎にユーザからの段階的な冷温感を取得する冷温感取得ステップと、
前記吹出口からの調和空気の風量と風向を前記冷温感の段階毎に定めた風量・風向決定テーブルを記憶するテーブル記憶ステップと、
前記ユーザから入力される冷温感の段階に基づいて、前記記憶されている風量・風向決定テーブルを参照して、そのユーザが望む制御対象空間の吹出口からの調和空気の風量と風向を決定する吹出口風量・風向決定ステップと、
前記吹出口からの調和空気の風量および風向を前記吹出口風量・風向決定ステップによって決定された風量および風向へ切り替える吹出口風量・風向切替ステップと、
前記冷温感の段階毎に予め定められた重み付け係数を記憶する重み付け係数記憶ステップと、
前記制御対象空間毎の前記ユーザから入力された冷温感について、その冷温感の段階に対応する前記記憶されている重み付け係数を読み出し、この読み出した重み付け係数に基づいて前記空気調和装置からの調和空気の給気温度を決定する給気温度決定ステップと、
前記空気調和装置からの調和空気の給気温度を前記給気温度決定ステップによって決定された給気温度に変更する給気温度変更ステップと、
前記制御対象空間毎のユーザから入力された冷温感の最大値と最小値との差を制御対象空間間の冷温感の格差として求める格差算出ステップとを備え、
前記テーブル記憶ステップは、
前記吹出口からの調和空気の風量と風向を前記冷温感の段階毎に定めた第１の風量・風向決定テーブルと、
前記第１の風量・風向決定テーブルよりもより強くユーザの意向を反映した第２の風量・風向決定テーブルとを記憶し、
前記吹出口風量・風向決定ステップは、
前記ユーザから入力された冷温感が前回よりもその冷温感を快適にする方向に変更された場合には、予め定められた一定時間が経過するまで、前記第２の風量・風向決定テーブルを参照して、そのユーザが望む制御対象空間の吹出口からの調和空気の風量と風向を決定し、
前記格差算出ステップによって求められた制御対象空間間の冷温感の格差が予め定められた所定値以上である場合には、その格差が所定値以上である期間、前記第２の風量・風向決定テーブルを参照して、前記制御対象空間毎の吹出口からの調和空気の風量と風向を決定する
ことを特徴とする空調方法。
【発明の詳細な説明】
【技術分野】
【０００１】
この発明は、空気調和装置からダクトを通して送られてくる調和空気を吹き出す吹出口を制御対象空間毎に備えた空調システムおよび空調方法に関するものである。
【背景技術】
【０００２】
従来より、ビルなどの居室内の空調制御では、一般的に、居室内の温度を計測するための温度センサを設置し、この温度センサによって検出される室内温度が目標とする設定温度に近づくように、空気調和装置からの調和空気の給気温度または風量をフィードバック制御するようにしている。
【０００３】
このフィードバック制御では、ユーザの体感（暑い、寒い）ではなく、絶対的な温度設定値を基準として室温制御が行われるため、ユーザの体感が制御状態に直接的に反映されないという問題がある。
【０００４】
そこで、本出願人は、先に、室内機からダクトを通して送られてくる調和空気を制御対象空間に吹き出す吹出口を備えたダクト型ビルマルチシステムなどの空調システムにおいて、冷暖モードとユーザからの冷温感の入力とに基づいて、吹出口からの調和空気の吹出方向を決定するようにした空調システムを提案した（特許文献１参照）。
【０００５】
この空調システムでは、例えば、吹出口からの調和空気の吹出方向を、原則として、冷房モード時には水平方向とし、暖房モード時には垂直方向とし、冷房モード時の例外として、ユーザから「非常に暑い」という冷温感が入力された場合には、吹出口からの調和空気の吹出方向を垂直方向とするようにしている。これにより、制御対象空間内のユーザの不快感を即座に解消することができるようになる、という効果が得られる。
【先行技術文献】
【特許文献】
【０００６】
【特許文献１】特開２０１４−４０９５７号公報
【発明の概要】
【発明が解決しようとする課題】
【０００７】
しかしながら、上述した特許文献１に示された空調システムでは、制御対象空間内のユーザの不快感を即座に解消することはできるが、制御対象空間内の温度（室内温度）を目標とする設定温度に近づくように空気調和装置からの調和空気の給気温度を制御することを前提としているため、室内温度を計測する温度センサが必要であり、コストアップが避けられない。
【０００８】
本発明は、このような課題を解決するためになされたもので、その目的とするところは、ユーザの体感を制御状態に直接的に反映させることができ、かつ、室内温度を計測する温度センサを不要とし、コストダウンを図ることが可能な空調システムおよび空調方法を提供することにある。
【課題を解決するための手段】
【０００９】
このような目的を達成するために本発明は、空気調和装置からダクトを通して送られてくる調和空気を吹き出す吹出口を制御対象空間毎に備えた空調システムにおいて、制御対象空間毎にユーザからの冷温感の段階的な入力を可能とする冷温感入力手段と、吹出口からの調和空気の風量と風向を冷温感の段階毎に定めた風量・風向決定テーブルを記憶するテーブル記憶手段と、ユーザから入力される冷温感の段階に基づいて、記憶されている風量・風向決定テーブルを参照して、そのユーザが望む制御対象空間の吹出口からの調和空気の風量と風向を決定する吹出口風量・風向決定手段と、吹出口からの調和空気の風量および風向を吹出口風量・風向決定手段によって決定された風量および風向へ切り替える吹出口風量・風向切替手段と、冷温感の段階毎に予め定められた重み付け係数を記憶する重み付け係数記憶手段と、制御対象空間毎のユーザから入力された冷温感について、その冷温感の段階に対応する記憶されている重み付け係数を読み出し、この読み出した重み付け係数に基づいて空気調和装置からの調和空気の給気温度を決定する給気温度決定手段と、空気調和装置からの調和空気の給気温度を給気温度決定手段によって決定された給気温度に変更する給気温度変更手段と、制御対象空間毎のユーザから入力された冷温感の最大値と最小値との差を制御対象空間間の冷温感の格差として求める格差算出手段とを備え、テーブル記憶手段は、吹出口からの調和空気の風量と風向を冷温感の段階毎に定めた第１の風量・風向決定テーブルと、第１の風量・風向決定テーブルよりもより強くユーザの意向を反映した第２の風量・風向決定テーブルとを記憶し、吹出口風量・風向決定手段は、 ユーザから入力された冷温感が前回よりもその冷温感を快適にする方向に変更された場合には、予め定められた一定時間が経過するまで、第２の風量・風向決定テーブルを参照して、そのユーザが望む制御対象空間の吹出口からの調和空気の風量と風向を決定し、格差算出手段によって求められた制御対象空間間の冷温感の格差が予め定められた所定値以上である場合には、その格差が所定値以上である期間、第２の風量・風向決定テーブルを参照して、制御対象空間毎の吹出口からの調和空気の風量と風向を決定することを特徴とする。
【００１０】
この発明によれば、ユーザから入力される冷温感の段階に基づいて、吹出口からの調和空気の風量と風向を冷温感の段階毎に定めた風量・風向決定テーブルを参照して、そのユーザが望む制御対象空間の吹出口からの調和空気の風量と風向が決定される。すなわち、本発明では、ユーザが入力した冷温感の段階に応じた風量と風向が風量・風向決定テーブルから読み出され、この読み出された風量と風向がそのユーザが望む制御対象空間の吹出口からの調和空気の風量と風向して決定される。そして、この決定された風量および風向に、その制御対象空間の吹出口からの風量および風向が切り替えられる。
【００１１】
本発明では、この風量と風向の切り替えによって、ユーザの体感が制御状態に直接的に反映され、ユーザの体感と合致した室温制御が実現される。また、風量と風向との組み合わせによってユーザの体感と合致した室温制御が実現されることから、室内温度を計測する温度センサが不要となり、コストダウンが図られる。
【００１２】
また、本発明では、吹出口からの調和空気の風量と風向を冷温感の段階毎に定めた第１の風量・風向決定テーブルと、第１の風量・風向決定テーブルよりもより強くユーザの意向を反映した第２の風量・風向決定テーブルとを設け、ユーザから入力された冷温感が前回よりもその冷温感を快適にする方向に変更された場合には、予め定められた一定時間が経過するまで、第２の風量・風向決定テーブルを参照して、そのユーザが望む制御対象空間の吹出口からの調和空気の風量と風向を決定する。このようにすることにより、ユーザからの冷温感の入力時に、一時的により強めの温度制御に切り替えるようにして、ユーザに自己の要望が実現されたことをより体感させることができるようになる。
【００１４】
また、本発明では、冷温感の段階毎に重み付け係数を定め、制御対象空間毎のユーザから入力された冷温感について、その冷温感の段階に対応する重み付け係数を読み出し、この読み出した重み付け係数に基づいて空気調和装置からの調和空気の給気温度を決定するようにし、空気調和装置からの調和空気の給気温度をその決定された給気温度に変更する。
【００１５】
本発明において、吹出口は複数設けられている。本発明では、冷温感の段階に対応する重み付け係数を用いることにより、各吹出口におけるユーザの冷温感を均等に反映させ、空気調和装置からの調和空気の給気温度を決定するようにする。例えば、読み出した重み付け係数の総和から給気温度を決定するようにしたり、読み出した重み付け係数の平均値から給気温度を決定するようにしたりする。このようにすることにより、各吹出口の風量・風向制御だけではなく、大もとの空気調和装置からの調和空気の給気温度にユーザからの冷温感を反映させるようにして、より大きい制御効果を得ることが可能となる。
【００１６】
また、本発明では、制御対象空間毎のユーザから入力された冷温感の最大値と最小値との差を制御対象空間間の冷温感の格差として求め、この求めた格差が予め定められた所定値以上である場合には、その格差が所定値以上である期間、第２の風量・風向決定テーブルを参照して、制御対象空間毎の吹出口からの調和空気の風量と風向を決定する。これにより、制御対象空間間の冷温感の格差が所定値以上である場合、その格差が所定値以上である間は恒常的に、第２の風量・風向決定テーブルが使用され、各吹出口における風量および風向がより強くユーザの意向を反映した方向にシフトされるものとなる。
【００１７】
重み付け係数を用いる場合、給気温度の決定には制御対象空間毎のユーザからの冷温感を均等に反映させるようにするため、制御対象空間間の冷温感に格差があるとき、決定される給気温度は各制御対象空間の冷温感に対して弱めの値に決定される。このため、本発明では、制御対象空間間の冷温感の格差が大きい場合、第２の風量・風向決定テーブルを用い、各吹出口において風量および風向をより強めの方向にシフトすることで、その影響を打ち消すようにする。
【００１９】
また、本発明の適用範囲としては、天井隠蔽型室内機＋搬送ダクト＋各制御対象空間毎に設置された吹出口で構成されるダクト型のビルマルチシステムや、空調機＋搬送ダクト＋各制御対象空間毎に設置されたＶＡＶ（可変風量調節バルブ）で構成されるＶＡＶ空調システムなどを想定している。本発明において、空気調和装置は、ダクト型のビルマルチシステムにおける室内機、ＶＡＶ空調システムにおける空調機を包含する上位概念の装置を指している。
【発明の効果】
【００２０】
本発明によれば、ユーザから入力される冷温感の段階に基づいて、吹出口からの調和空気の風量と風向を冷温感の段階毎に定めた風量・風向決定テーブルを参照して、そのユーザが望む制御対象空間の吹出口からの調和空気の風量と風向を決定し、その決定された風量および風向に吹出口からの風量および風向を切り替えるようにしたので、この風量と風向の切り替えによって、ユーザの体感を制御状態に直接的に反映させ、ユーザの体感と合致した室温制御を実現すると同時に、室内温度を計測する温度センサを不要とし、コストダウンを図ることが可能となる。
【００２１】
また、本発明によれば、吹出口からの調和空気の風量と風向を冷温感の段階毎に定めた第１の風量・風向決定テーブルと、第１の風量・風向決定テーブルよりもより強くユーザの意向を反映した第２の風量・風向決定テーブルとを設け、ユーザから入力された冷温感が前回よりもその冷温感を快適にする方向に変更された場合には、予め定められた一定時間が経過するまで、第２の風量・風向決定テーブルを参照して、そのユーザが望む制御対象空間の吹出口からの調和空気の風量と風向を決定するようにしたので、ユーザからの冷温感の入力時に、一時的により強めの温度制御に切り替えるようにして、ユーザに自己の要望が実現されたことをより体感させることができるようになる。
【００２２】
また、本発明によれば、冷温感の段階毎に重み付け係数を定め、制御対象空間毎のユーザから入力された冷温感について、その冷温感の段階に対応する重み付け係数を読み出し、この読み出した重み付け係数に基づいて空気調和装置からの調和空気の給気温度を決定するようにし、空気調和装置からの調和空気の給気温度をその決定された給気温度に変更するようにしたので、各吹出口の風量・風向制御だけではなく、大もとの空気調和装置からの調和空気の給気温度にユーザからの冷温感を反映させるようにして、より大きい制御効果を得ることが可能となる。
【００２３】
また、本発明によれば、制御対象空間毎のユーザから入力された冷温感の最大値と最小値との差を制御対象空間間の冷温感の格差として求め、この求めた格差が予め定められた所定値以上である場合には、その格差が所定値以上である期間、第２の風量・風向決定テーブルを参照して、制御対象空間毎の吹出口からの調和空気の風量と風向を決定するようにしたので、制御対象空間間の冷温感の格差が所定値以上である場合、その格差が所定値以上である間は恒常的に、第２の風量・風向決定テーブルを使用するようにして、各吹出口における風量および風向をより強くユーザの意向を反映した方向にシフトさせることができるようになる。
【図面の簡単な説明】
【００２４】
【図１】本発明に係る空調システムの一実施の形態（実施の形態１）を示す図である。
【図２】冷温感申告値を入力する際のユーザインタフェースの具体例を示す図である。
【図３】実施の形態１の空調システムで用いる風量・風向決定テーブルを例示する図である。
【図４】実施の形態１の空調システムにおける吹出口装置の機能ブロック図である。
【図５】実施の形態２の空調システムを示す図である。
【図６】実施の形態２の空調システムで用いる第１の風量・風向決定テーブル（１段階目の風量・風向決定テーブル）および第２の風量・風向決定テーブル（２段階目の風量・風向決定テーブル）を例示する図である。
【図７】実施の形態３の空調システムを示す図である。
【図８】実施の形態３の空調システムで用いる給気温度決定用の重み付け係数テーブルを例示する図である。
【図９】冷房時の各吹出口の冷温感申告値とその結果決まる給気温度の重み付け係数を例示する図である。
【図１０】実施の形態４の空調システムを示す図である。
【発明を実施するための形態】
【００２５】
以下、本発明の実施の形態を図面に基づいて詳細に説明する。なお、以下の説明では、本発明の権利範囲に含まれないものも実施の形態として記載されているが、ここでは全て実施の形態として説明する。
【００２６】
〔実施の形態１〕
図１は本発明に係る空調システムの一実施の形態（実施の形態１）を示す図である。同図において、１は空気調和装置、２は空気調和装置１からの調和空気が送られる給気ダクト、３（３−１〜３−４）は給気ダクト２を通して送られてくる調和空気を吹き出す吹出口装置（吹出口）、４（４−１〜４−４）は吹出口装置３（３−１〜３−４）から吹き出される調和空気の供給を受ける制御対象空間（温度制御ゾーン）、５は制御対象空間４毎にユーザの冷温感の申告値（以下、冷温感申告値と呼ぶ）を多段階に入力することが可能なユーザ端末である。
【００２７】
本実施の形態において、空気調和装置１は、ＶＡＶ空調システムにおける空調機またはダクト型のビルマルチシステムにおける室内機とされており、空気調和装置１からの給気温度は一定とされている。また、本実施の形態において、制御対象空間４−１〜４−４には、室内温度を計測する温度センサは設けられていない。また、ユーザ端末５と吹出口装置３−１〜３−４との間は通信幹線によって接続されている。
【００２８】
本実施の形態において、ユーザ端末５は、制御対象空間４−１〜４−４における吹出口装置３−１〜３−４に対するユーザからの冷温感申告値を１台でまとめて受け付けるような構成とされている。例えば、制御対象空間４−１〜４−４毎にユーザインタフェースがあり、このユーザインタフェースから入力されるユーザからの冷温感申告値をユーザ端末５が受け付けて、内部に取り込むような構成とされている。
【００２９】
ユーザ端末５は、プロセッサや記憶装置からなるハードウェアと、これらのハードウェアと協働して各種機能を実現させるプログラムとによって実現され、ユーザ冷温感申告値入力部５−１と、吹出口風量・風向決定部５−２と、吹出口風量・風向制御信号送出部５−３と、記憶部５−４とを備えている。
【００３０】
ユーザ冷温感申告値入力部５−１は、制御対象空間４−１〜４−４内のユーザからの冷温感申告値の入力部をなし、入力されたユーザからの冷温感申告値を吹出口風量・風向決定部５−２へ送る。本実施の形態において、ユーザ冷温感申告値入力部５−１は、制御対象空間４−１〜４−４内においてユーザが現在感じている冷温感を複数段階で受け付ける。この例では、ユーザが現在感じている冷温感を、「寒い」、「少し寒い」、「適正」、「少し暑い」、「暑い」の５段階の冷温感申告値として受け付ける。
【００３１】
なお、ユーザからの冷温感申告値の段数は５段階に限られるものではなく、段数をさらに多くしてもよいし、少なくしてもよい。段数を多くすることで、ユーザの体感をより反映することができるし、段数を少なくすることで、システムをより低コストで実現することができる。このユーザ冷温感申告値入力部５−１が本発明でいう冷温感入力手段に相当する。
【００３２】
図２に冷温感申告値を入力する際のユーザインタフェースの具体例を示す。この例では、ユーザが感じている冷温感として、暑い寒いの５段階の冷温感を受け付ける。このユーザインタフェースは５つのボタンＢＴ１〜ＢＴ５を備え、ボタンＢＴ１は「寒い」、ボタンＢＴ２は「少し寒い」、ボタンＢＴ３は「適正」、ボタンＢＴ４は「少し暑い」、ボタンＢＴ５は「暑い」という冷温感を示し、ボタンＢＴ１〜ＢＴ５をタッチすることによってそのボタンに対して定められている冷温感が冷温感申告値として受け付けられる。なお、このユーザインタフェースは、制御対象空間４−１〜４−４内に備えられていてもよいし、ユーザ冷温感申告値入力部５−１に備えられていてもよい。
【００３３】
記憶部５−４には、吹出口装置３からの調和空気の風量と風向を冷温感申告値の段階毎に定めた風量・風向決定テーブルＴＡが格納されている。この風量・風向決定テーブルＴＡが格納された記憶部５−４が本発明でいうテーブル記憶手段に相当する。
【００３４】
図３に記憶部５−４に格納されている風量・風向決定テーブルを例示する。図３には、風量・風向決定テーブルの一例として、冷房時に使用される風量・風向決定テーブルＴＡを示している。この風量・風向決定テーブルＴＡには、冷温感申告値の「寒い」に対して、風量を「１」、風向を「水平方向」として、冷温感申告値の「少し寒い」に対して、風量を「２」、風向を「水平方向」として、冷温感申告値の「適正」に対して、風量を「３」、風向を「水平方向」として、冷温感申告値の「少し暑い」に対して、風量を「４」、風向を「水平方向」として、冷温感申告値の「暑い」に対して、風量を「４」、風向を「斜め下方向」として定められている。なお、風量は「１」を最弱、「５」を最強とする。暖房時はこれと逆のテーブルを使用する。
【００３５】
吹出口風量・風向決定部５−２は、ユーザ冷温感申告値入力部５−１が受け付けたユーザからの冷温感申告値を入力とし、この入力される冷温感申告値に基づいて記憶部５−４に格納されている風量・風向決定テーブルＴＡを参照して、そのユーザが望む制御対象空間４の吹出口装置３からの調和空気の風量と風向を決定する。この吹出口風量・風向決定部５−２が本発明でいう吹出口風量・風向決定手段に相当する。
【００３６】
吹出口風量・風向制御信号送出部５−３は、吹出口風量・風向決定部５−２で決定された風量と風向を吹出口風量・風向制御信号として、その風量および風向が決定された制御対象空間４の吹出口装置３に送る。
【００３７】
吹出口装置３は、図４に示すように、風量・風向制御信号受信部３ａと、風向切り替え駆動機構３ｂと、風量調節機構３ｃと、吹出口ルーバ３ｄと、吹出口ダンパ３ｅとを備えている。
【００３８】
風量・風向制御信号受信部３ａは、ユーザ端末５から送られてくる吹出口風量・風向制御信号を受信し、吹出口風量制御信号と吹出口風向制御信号とに分け、吹出口風量制御信号を風量調節機構３ｃへ送り、吹出口風向制御信号を風向切り替え駆動機構３ｂへ送る。
【００３９】
風向切り替え駆動機構３ｂは、吹出口ルーバ３ｄを駆動し、吹出口風向制御信号が示す吹出口方向へ、吹出口装置３からの制御対象空間４への調和空気の吹出方向を切り替える。
【００４０】
風量調節機構３ｃは、吹出口ダンパ３ｅを駆動し、吹出口風量制御信号が示す風量へ、吹出口装置３からの制御対象空間４への調和空気の風量を調節する。この風量・風向制御信号受信部３ａと、風向切り替え駆動機構３ｂと、風量調節機構３ｃと、吹出口ルーバ３ｄと、吹出口ダンパ３ｅとの組み合わせが本発明でいう吹出口風量・風向切替手段に相当する。
【００４１】
この実施の形態１の空調システムにおいて、例えば、制御対象空間４−１におけるユーザがユーザ端末５に対して、それまで「適正」としていた冷温感申告値を「暑い」として入力したとする。ユーザ端末５は、この制御対象空間４−１におけるユーザからの「暑い」という冷温感申告値をユーザ冷温感申告値入力部５−１で受け付けて、吹出口風量・風向決定部５−２へ送る。
【００４２】
吹出口風量・風向決定部５−２は、制御対象空間４−１におけるユーザからの「暑い」という冷温感申告値を入力し、この入力された冷温感申告値に基づいて記憶部５−４に格納されている風量・風向決定テーブルＴＡを参照して、そのユーザが望む制御対象空間４−１における吹出口装置３−１からの調和空気の風量と風向を決定する。
【００４３】
この場合、吹出口風量・風向決定部５−２は、風量・風向決定テーブルＴＡより、「暑い」という冷温感申告値に対応する風量として「４」を読み出し、風向として「斜め下方向」を読み出し、この読み出した風量「４」と風向「斜め下方向」をユーザが望む制御対象空間４−１における吹出口装置３−１からの調和空気の風量と風向として決定する。すなわち、それまで「適正」という冷温感申告値に対して決定していた風量「３」と風向「水平方向」に替えて、風量「４」と風向「斜め下方向」を制御対象空間４−１における吹出口装置３−１からの調和空気の新たな風量と風向として決定する。
【００４４】
この吹出口風量・風向決定部５−２で決定された風量と風向は吹出口風量・風向制御信号送出部５−３へ送られる。吹出口風量・風向制御信号送出部５−３は、吹出口風量・風向決定部５−２からの風量と風向を吹出口風量・風向制御信号として、その風量と風向が決定された制御対象空間４−１における吹出口装置３−１に送る。
【００４５】
これにより、吹出口装置３−１からの制御対象空間４−１への調和空気の風量と風向が、それまでの「適正」とされていた冷温感申告値に対応する風量「３」と風向「水平方向」から、制御対象空間４−１におけるユーザから要望のあった「暑い」という冷温感申告値に対応する風量「４」と風向「斜め下方向」に切り替えられる。
【００４６】
この風量と風向の切り替えによって、制御対象空間４−１におけるユーザの体感が制御状態に直接的に反映され、ユーザの体感と合致した室温制御が実現される。また、風量と風向との組み合わせによってユーザの体感と合致した室温制御が実現されるので、室内温度を計測する温度センサが不要であり、システムが簡素化され、コストダウンが図られる。
【００４７】
なお、この実施の形態１の空調システムでは、ユーザ端末５に風量・風向決定テーブルＴＡを設け、ユーザ端末５でユーザからの冷温感申告値に応じた吹出口装置３からの調和空気の風量と風向を決定するようにしたが、吹出口装置３毎に風量・風向決定テーブルＴＡを設け、ユーザからの冷温感申告値をユーザ端末５を経由して対応する制御対象空間４における吹出口装置３へ送り、吹出口装置３側でユーザからの冷温感申告値に応じた調和空気の風量と風向を決定させるようにしてもよい。
【００４８】
また、制御対象空間４毎にユーザ端末５を設け、この制御対象空間４毎に設けたユーザ端末５において、その制御対象空間４における吹出口装置３からの調和空気の風量と風向を決定するようにしたり、制御対象空間４毎に設けたユーザ端末５からその制御対象空間４における吹出口装置３に冷温感申告値を送って、吹出口装置３側でユーザからの冷温感申告値に応じた調和空気の風量と風向を決定させるようにしたりしてもよい。
【００４９】
〔実施の形態２〕
図５に、実施の形態２の空調システムとして、実施の形態１の空調システム（図１）における風量・風向決定テーブルＴＡに代えて、第１の風量・風向決定テーブルＴＡ１と第２の風量・風向決定テーブルＴＡ２とをユーザ端末５の記憶部５−４に設けるようにした例を示す。
【００５０】
図６（ａ）に、実施の形態２の空調システムで用いる第１の風量・風向決定テーブルＴＡ１を例示し、図６（ｂ）に、実施の形態２の空調システムで用いる第２の風量・風向決定テーブルＴＡ２を例示する。
【００５１】
この実施の形態２の空調システムにおいて、第１の風量・風向決定テーブルＴＡ１は実施の形態１で用いた風量・風向決定テーブルＴＡと同じとし、第２の風量・風向決定テーブルＴＡ２は第１の風量・風向決定テーブルＴＡ１よりもより強くユーザの意向を反映させたものとしている。以下、第１の風量・風向決定テーブルＴＡ１を１段階目の風量・風向決定テーブルと呼び、第２の風量・風向決定テーブルＴＡ２を２段階目の風量・風向決定テーブルと呼ぶ。
【００５２】
この実施の形態２の空調システムにおいて、吹出口風量・風向決定部５−２は、ユーザからの冷温感申告値が入力された場合、その入力された冷温感申告値と前回入力された冷温感申告値とを比較する。ここで、入力された冷温感申告値が前回よりもその冷温感を快適にする方向（増エネルギー方向）に変更された場合には、そのユーザが望む制御対象空間４の吹出口装置３に対する風量および風向を決定するテーブルとして、一時的に２段階目の風量・風向決定テーブルＴＡ２を使用する。
【００５３】
そして、一定時間Ｔが経過した後、その制御対象空間４の吹出口装置３に対する風量および風向を決定するテーブルを、２段階目の風量・風向決定テーブルＴＡ２から１段階目の風量・風向決定テーブルＴＡ１に切り替える。すなわち、一定時間Ｔが経過するまでは２段階目の風量・風向決定テーブルＴＡ２を使用して風量と風向の決定を行い、一定時間Ｔが経過した後は、１段階目の風量・風向決定テーブルＴＡ１に戻し、通常のロジックで風量と風向の決定を行う。
【００５４】
この実施の形態２の空調システムでは、ユーザからの冷温感申告値の入力時、一時的により強めの温度制御に切り替えるようにして、ユーザに自己の要望が実現されたことをより体感させることができるようになる。なお、この実施の形態２において、一定時間Ｔは、固定値でもよいし、任意に設定することができるようにしておいてもよい。
【００５５】
〔実施の形態３〕
図７に、実施の形態３の空調システムとして、実施の形態１の空調システム（図１）における風量・風向決定テーブルＴＡに加え、給気温度決定用の重み付け係数テーブルＴＢをユーザ端末５の記憶部５−４に設けた例を示す。
【００５６】
この実施の形態３の空調システムでは、吹出口風量・風向決定部５−２に代えて吹出口風量・風向・給気温度決定部５−２’を用い、吹出口風量・風向制御信号送出部５−３に代えて吹出口風量・風向・給気温度制御信号送出部５−３’を用いる。
【００５７】
図８に、実施の形態３の空調システムで用いる給気温度決定用の重み付け係数テーブルＴＢを例示する。この重み付け係数テーブルＴＢには、冷温感申告値の段階毎に、給気温度決定用の重み付け係数がパラメータとして定められている。
【００５８】
この例では、冷温感申告値の「寒い」に対して、重み付け係数が「２」として、冷温感申告値の「少し寒い」に対して、重み付け係数が「１」として、冷温感申告値の「適正」に対して、重み付け係数が「０」として、冷温感申告値の「少し暑い」に対して、重み付け係数が「−１」として、冷温感申告値の「暑い」に対して、重み付け係数が「−２」として定められている。
【００５９】
この実施の形態３の空調システムにおいて、吹出口風量・風向・給気温度決定部５−２’は、実施の形態１の空調システムにおける吹出口風量・風向決定部５−２の機能に加え、ユーザ操作により冷温感申告値が確定、もしくは変更されたとき、全制御対象空間４におけるユーザからの現在の冷温感申告値に対応する重み付け係数を重み付け係数テーブルＴＢから読み出し、この読み出した全制御対象空間４におけるユーザからの現在の冷温感申告値に対応する重み付け係数を均等に反映させ、大もとの空気調和装置１からの調和空気の給気温度を決定する機能を有している。
【００６０】
〔例１：重み付け係数の総和から給気温度を決定する方式〕
例えば、吹出口風量・風向・給気温度決定部５−２’は、下記（１）式を用い、全制御対象空間４におけるユーザからの現在の冷温感申告値に対応する重み付け係数の総和（各吹出口の重み付け係数の総和）から給気温度を決定する。
給気温度＝基準給気温度＋（Σ（各吹出口の重み付け係数））×温度ステップ（℃）  ・・・・（１）
【００６１】
例えば、各吹出口の重み付け係数（各制御対象空間４におけるユーザからの冷温感申告値に対応して決まる重み付け係数）が図９に示すような値として得られたとき、基準給気温度＝２５℃、温度ステップ＝０.５℃であった場合、給気温度＝２５＋（（−２）＋（−１）＋０＋（−１））×０.５＝２３℃となる。
【００６２】
〔例２：重み付け係数の平均値から給気温度を決定する方式〕
例えば、吹出口風量・風向・給気温度決定部５−２’は、下記（２）式を用い、全制御対象空間４におけるユーザからの現在の冷温感申告値に対応する重み付け係数の平均値（各吹出口の重み付け係数の総和／吹出口数）から給気温度を決定する。
給気温度＝基準給気温度＋（Σ（各吹出口の重み付け係数））／吹出口数×温度ステップ（℃）  ・・・・（２）
【００６３】
例えば、各吹出口の重み付け係数（各制御対象空間４におけるユーザからの冷温感申告値に対応して決まる重み付け係数）が図９に示すような値として得られたとき、基準給気温度＝２５℃、温度ステップ＝１.０℃であった場合、給気温度＝２５＋（（−２）＋（−１）＋０＋（−１））／４×１.０＝２４℃となる。
【００６４】
吹出口風量・風向・給気温度決定部５−２’は、このようにして全制御対象空間４におけるユーザからの現在の冷温感申告値に対応する重み付け係数を均等に反映させて、空気調和装置１からの調和空気の給気温度を決定する。また、説明は省略するが、実施の形態１の空調システムにおける吹出口風量・風向決定部５−２と同様にして、風量・風向テーブルＴＡを使用して、制御対象空間４における吹出口装置３からの調和空気の風量と風向を決定する。
【００６５】
この吹出口風量・風向・給気温度決定部５−２’で決定された風量と風向および給気温度は吹出口風量・風向・給気温度制御信号送出部５−３’へ送られる。吹出口風量・風向・給気温度制御信号送出部５−３’は、吹出口風量・風向・給気温度決定部５−２’からの風量と風向を吹出口風量・風向制御信号として制御対象空間４における吹出口装置３に送り、吹出口風量・風向・給気温度決定部５−２’からの給気温度を給気温度制御信号として空気調和装置１へ送る。
【００６６】
これにより、吹出口装置３からの制御対象空間４への調和空気の風量と風向が制御されるだけではなく、大もとの空気調和装置１からの調和空気の給気温度が各制御対象空間４におけるユーザの冷温感を均等に反映させた値に変更されるものとなり、より大きい制御効果を得ることができるようになる。
【００６７】
なお、上述においては、一例として、重み付け係数の総和から給気温度を求めるロジックと、重み付け係数の平均値から給気温度を求めるロジックを示したが、各制御対象空間４におけるユーザの冷温感が均等に反映されるようになっていれば、どのようなロジックで給気温度を求めるようにしてもよい。
【００６８】
〔実施の形態４〕
図１０に、実施の形態４の空調システムとして、実施の形態３の空調システム（図７）における風量・風向決定テーブルＴＡに代えて、第１の風量・風向決定テーブルＴＡ１と第２の風量・風向決定テーブルＴＡ２とをユーザ端末５の記憶部５−４に設けるようにした例を示す。
【００６９】
なお、第１の風量・風向決定テーブルＴＡ１は１段階目の風量・風向決定テーブルであり、第２の風量・風向決定テーブルＴＡ２は２段階目の風量・風向決定テーブルであり、実施の形態２の空調システム（図５）で用いたものと同じである。
【００７０】
この実施の形態４の空調システムにおいて、吹出口風量・風向・給気温度決定部５−２’は、実施の形態２の空調システムにおける吹出口風量・風向決定部５−２と同様、ユーザからの冷温感申告値が入力された場合、その入力された冷温感申告値と前回入力された冷温感申告値とを比較し、入力された冷温感申告値が前回よりもその冷温感を快適にする方向（増エネルギー方向）に変更された場合には、そのユーザが望む制御対象空間４の吹出口装置３に対する風量および風向を決定するテーブルとして、一定時間Ｔの間、２段階目の風量・風向決定テーブルＴＡ２を使用する。
【００７１】
また、この実施の形態４の空調システムにおいて、吹出口風量・風向・給気温度決定部５−２’は、実施の形態３の空調システムにおける吹出口風量・風向・給気温度決定部５−２’と同様、ユーザ操作により冷温感申告値が確定、もしくは変更されたとき、全制御対象空間４におけるユーザからの現在の冷温感申告値に対応する重み付け係数を給気温度決定用の重み付け係数テーブルＴＢから読み出し、この読み出した全制御対象空間４におけるユーザからの現在の冷温感申告値に対応する重み付け係数を均等に反映させ、大もとの空気調和装置１からの調和空気の給気温度を決定する。
【００７２】
この実施の形態４の空調システムは、実施の形態２の空調システムと実施の形態３の空調システムとを組み合わせた空調システムであり、実施の形態２の空調システムで得られる効果と実施の形態３の空調システムで得られる効果との両方が得られる。すなわち、ユーザからの冷温感申告値の入力時、一時的により強めの温度制御に切り替えるようにして、ユーザに自己の要望が実現されたことをより体感させることができ、かつ、大もとの空気調和装置１からの調和空気の給気温度を各制御対象空間４におけるユーザの冷温感を均等に反映させた値に変更するようにして、より大きい制御効果を得ることができるようになる。
【００７３】
〔実施の形態５〕
実施の形態４の空調システムでは、空気調和装置１からの調和空気の給気温度の決定に重み付け係数を用いている。この場合、給気温度の決定に制御対象空間４毎のユーザからの冷温感を均等に反映させるようにするために、制御対象空間４間の冷温感に格差があるとき、決定される給気温度は各制御対象空間４の冷温感に対して弱めの値に決定されてしまう。
【００７４】
そこで、実施の形態５の空調システムでは、制御対象空間４間の冷温感の格差が大きい場合、第２の風量・風向決定テーブルＴＡ２を使用するようにし、各吹出口において風量および風向をより強めの方向にシフトすることで、その影響を打ち消すようにする。
【００７５】
具体的には、図１０に示した空調システムにおける吹出口風量・風向・給気温度決定部５−２’に、ユーザからの冷温感申告値が確定または変更されたとき、制御対象空間４毎のユーザからの冷温感申告値の最大値と最小値との差を制御対象空間４間の冷温感の格差として求め、この求めた格差が予め定められた所定値以上である場合には、その格差が所定値以上である期間、２段階目の風量・風向決定テーブルＴＡ２を使用して、制御対象空間４毎の吹出口装置３からの調和空気の風量と風向を決定する機能を設ける。
【００７６】
これにより、吹出口風量・風向・給気温度決定部５−２’で求められた制御対象空間４間の冷温感の格差が予め定められた所定値（閾値）以上である場合、その格差が所定値以上である期間、２段階目の風量・風向決定テーブルＴＡ２を使用して制御対象空間４毎の吹出口装置３からの調和空気の風量と風向が決定されるものとなり、各吹出口装置３における風量および風向がより強くユーザの意向を反映した方向にシフトされるものとなり、給気温度の決定に重み付け係数を用いることによる影響を打ち消すことができるようになる。
【００７７】
なお、この実施の形態５において、制御対象空間４間の冷温感の格差に対して定める閾値は、固定値でもよいし、任意に設定することができるようにしておいてもよい。
【００７８】
また、実施の形態３の空調システム（図７）において、風量・風向決定テーブルＴＡに代えて１段階目の風量・風向決定テーブルＴＡ１と２段階目の風量・風向決定テーブルＴＡ２とを設け、実施の形態５の空調システムと同様に、制御対象空間４間の冷温感の格差が所定値以上である期間、２段階目の風量・風向決定テーブルＴＡ２を使用して、制御対象空間４毎の吹出口装置３からの調和空気の風量と風向を決定するようにしてもよい。
【００７９】
〔実施の形態の拡張〕
以上、実施の形態を参照して本発明を説明したが、本発明は上記の実施の形態に限定されるものではない。本発明の構成や詳細には、本発明の技術思想の範囲内で当業者が理解し得る様々な変更をすることができる。また、各実施の形態については、矛盾しない範囲で任意に組み合わせて実施することができる。
【符号の説明】
【００８０】
１…空気調和装置、２…給気ダクト、３（３−１〜３−４）…吹出口装置（吹出口）、３ａ…風量・風向制御信号受信部、３ｂ…風向切り替え駆動機構、３ｃ…風量調節機構、３ｄ…吹出口ルーバ、３ｅ…吹出口ダンパ、４（４−１〜４−４）…制御対象空間（温度制御ゾーン）、５…ユーザ端末、５−１…ユーザ冷温感申告値入力部、５−２…吹出口風量・風向決定部、５−２’…吹出口風量・風向・給気温度決定部、５−３…吹出口風量・風向制御信号送出部、５−３’…吹出口風量・風向・給気温度制御信号送出部、５−４…記憶部、ＴＡ…風量・風向決定テーブル、ＴＡ１…第１の風量・風向決定テーブル（１段階目の風量・風向決定テーブル）、ＴＡ２…第２の風量・風向決定テーブル（２段階目の風量・風向決定テーブル）、ＴＢ…給気温度決定用の重み付け係数テーブル。
【図１】
0006309360.tif 000002
【図２】
0006309360.tif 000003
【図３】
0006309360.tif 000004
【図４】
0006309360.tif 000005
【図５】
0006309360.tif 000006
【図６】
0006309360.tif 000007
【図７】
0006309360.tif 000008
【図８】
0006309360.tif 000009
【図９】
0006309360.tif 000010
【図１０】
0006309360.tif 000011